(57)【要約】【課題】  眼特性測定中に被験者の発声を妨げず、同時にアライメントのずれを生じさせない構造の眼科装置用頭部固定装置を提供する。【解決手段】  被験者２０の額を当てる額支持部１１と、被験者２０の頭部重量を頬骨部分で支える頬骨支持部１２と、被験者２０の頭部落下時に頭部重量を支える落下防止部１３と、支柱１４とを含んで構成した。【選択図】  図２
2016214485.tif 000002
【特許請求の範囲】
【請求項１】
被検者の額を当てる額支持部と、
被検者の頭部重量を頬骨部分で支える頬骨支持部とを有することを特徴とする眼科装置用頭部固定装置。
【請求項２】
前記頬骨支持部が、被験者の前方への頭部の圧迫圧力に応じて、頭部重量を保持しながら左右に開くことを特徴とする、請求項１に記載の眼科装置用頭部固定装置。
【請求項３】
下顎下部に、被験者の頭部が落下した場合に頭部重量を支える落下防止部を備えることを特徴とする、請求項１又は２に記載の眼科装置用頭部固定装置。
【発明の詳細な説明】
【技術分野】
【０００１】
本発明は、眼科装置における被検者の頭部を保持するための頭部固定装置に関するものである。
【背景技術】
【０００２】
従来から眼科装置では、被検眼の眼特性を測定する際に、眼科装置に対して被験者の頭部を所定の位置に固定し、眼科装置の光学系と被検眼との位置合わせを行う必要がある。このため、顎受け部に被験者の顎を乗せ、額当て部に額を押し当てる方法が用いられている（参考文献１参照）。
【先行技術文献】
【特許文献】
【０００３】
【特許文献１】特開２０１２−１７０５９０号公報
【発明の概要】
【発明が解決しようとする課題】
【０００４】
しかしながら、検査中に検者と被検者が会話をしながら検査を進める必要がある場合、下顎下部の顎受け部で頭部重量を保持する構造では、被験者の発声時に頭部が上部方向にせり上がる状態となり、アライメントにずれが生じるため、眼特性測定結果の精度が悪くなるという問題がある。
【０００５】
本発明は、上述した実情に鑑みてなされたものであり、その目的は、眼特性測定中に被験者の発声を妨げず、同時にアライメントのずれを生じさせない構造の眼科装置用頭部固定装置を提供することである。
【課題を解決するための手段】
【０００６】
眼科装置用頭部固定装置に関する本発明の第１の態様は、被検者の額を当てる額支持部と、被検者の頭部重量を頬骨部分で支える頬骨支持部とを有することを特徴とする。
【０００７】
本態様に従う構造とされた眼科装置用頭部固定装置によれば、下顎下部の顎台で頭部重量を支えないため、被験者による発声を妨げることがない。また、発声時に下顎を自由に下部方向へ動かすことができるために、頭部が上部方向にせり上がることがなくなるため、発声時のアライメントのずれがなくなり測定精度が向上する。
【０００８】
本発明の第２の態様は、前記第１の態様に係る眼科装置用頭部固定装置において、前記頬骨支持部が、被験者の前方への頭部の圧迫圧力に応じて、頭部重量を保持しながら左右に開くことを特徴とする。この開閉機構により、頬骨形状に応じた適度の圧迫感と密着度合いをもって被験者は頭部重量を前記頬骨支持部に預けることができる。
【０００９】
本発明の第３の態様は、前記第１又は第２の態様に係る眼科装置用頭部固定装置において、下顎下部に、被験者の頭部が前記頬骨支持部による支持を受けることなく落下した場合に、頭部重量を支える落下防止部を備えることを特徴とする。
【００１０】
本態様に従う構造とされた眼科装置用頭部固定装置によれば、前記頬骨支持部から被検者の頭部が外れた場合でも、落下防止部において頭部を受け止めるため、被験者が怪我をすることを防止できる。
【発明の効果】
【００１１】
本発明に従う眼科装置用頭部固定装置によれば、下顎下部の顎台で頭部重量を支えないため、被験者による発声を妨げることがない。また、被験者の発声時に頭部が上部方向にせり上がることがなくなるため、検査中におけるアライメントのずれがなくなり測定精度が向上する。さらに、下顎下部に、被験者の頭部が落下した場合に頭部重量を支える落下防止部を備えることにより、前記頬骨支持部から被検者の頭部が外れた場合でも、被験者が怪我をすることを防止することが可能となる。
【図面の簡単な説明】
【００１２】
【図１】本発明を適用した頭部固定装置を有する眼科装置の側面図を示したものである。
【図２】本発明の一実施形態としての眼科装置用頭部固定装置の正面図である。
【発明を実施するための形態】
【実施例】
【００１３】
以下、本発明の一実施例に係る眼科装置用頭部固定装置について、図面を参照して説明する。
【００１４】
図１は、本発明を適用した頭部固定装置を有する眼科装置１の一例の側面図を示したものである。本体測定部２は、他覚眼屈折力測定装置や眼圧測定装置や視野測定装置等の検査、観察、測定などを行う光学器械の光学系が収められている。また、本体測定部２はジョイスティック４等を操作することにより基台３上を移動する。
【００１５】
図２は頭部固定装置１０を測定本体部２側から見た図である。頭部固定装置１０は、本体測定部２の光学系と被検眼との位置合わせを行うために被験者２０の頭部を固定する目的で用いられ、基台３に固定されている。
【００１６】
頭部固定装置１０は、被験者２０の額を当てる額支持部１１と、被験者２０の頭部重量を頬骨部分で支える頬骨支持部１２と、被験者２０の頭部落下時に頭部重量を支える落下防止部１３と、支柱１４からなる。
【００１７】
被検者２０は、額支持部１１に額を当てて、頬骨支持部１２に頬骨を載せることにより頭部を固定する。頬骨支持部１２は、左右の頬骨部分にクッション材を当てて支える構造を持つ。これにより、被験者２０の肉体的負担を軽減することができる。
【００１８】
また、頬骨支持部１２のクッション材は左右の頬骨の幅に合わせて半固定され、小児から成人男性用に対応できるように左右前後に移動できる構造を持つ。クッション材に頬骨を当てて顔を前に押し付けたとき、クッション材は頭部の重量を受けて左右および前部へ５〜１０ｍｍ程度顔面に反発力を感じさせながら移動して、クッション性を伴って顔面に無理なくフィットさせる。
【００１９】
落下防止部１３は、クッション材を基材とした顎受けであり、被験者２０の下顎に軽く当たる程度に接触するような位置に設置されている。落下防止部１３は、被検者２０の頭部が頬骨支持部から外れて落下した場合に、頭部重量を受け止める安全装置の役割を果たす。
【００２０】
また、落下防止部１３のクッション材は、左右の固定位置を基準として、下方２ｃｍ程度の移動制限を有して、頭部重量を頭部および顔面に損傷を与えることなく受け止める強度を有する。
【００２１】
頬骨支持部１２および落下防止部１３は、本体測定部２に設けられた図示しない上下動操作スイッチを操作することにより、支柱１４に沿って電動で上下動し、頬骨支持部１２および落下防止部１３の高さを調整することができる。なお、高さの調整は、支柱１４に上下動ハンドルを設けて、そのハンドルを回すことにより手動で頬骨支持部１２および落下防止部１３を上下させる方法でもよい。
【００２２】
以上、本発明の一実施形態について詳述してきたが、かかる実施形態における具体的な記載によって、本発明は限定されるものではなく、本発明の趣旨を逸脱しない範囲において種々の変更を加えることが可能である。
【００２３】
以上のように、本実施形態によれば、被験者２０の頬骨部分で頭部重量を支える構造にすることにより、被検者による発声を妨げることなく、また、発声時のアライメントのずれを防ぐことが可能となる。
【符号の説明】
【００２４】
１・・眼科装置、２・・本体測定部、３・・基台、４・・ジョイスティック、１０・・頭部固定装置、１１・・額支持部、１２・・頬骨支持部、１３・・落下防止部、１４・・支柱、２０・・被検者
【図１】
2016214485.tif 000003
【図２】
2016214485.tif 000004